(57)【要約】【課題】積み上げた箱状ケース本体が容易に滑落するのを防止することができるパチンコ玉収容ケースを提供する。【解決手段】箱状ケース本体２には、パチンコ玉入出用の開口の端縁から水平に外側へ向けて突出している張り出し縁部４が形成されていて、並列配置された複数の箱状ケース本体２のうちの隣り合う２つの箱状ケース本体２に、略等分に別の箱状ケース本体２が乗せ置かれるのに伴って、下側の２つの箱状ケース本体２の各張り出し縁部４と上側の箱状ケース本体の底部が係合して上側の箱状ケース本体２が、並列配置の向きと直角な向きに滑動するのを防止する構成とした。【選択図】図８
0003115668.tif 000002
【実用新案登録請求の範囲】
【請求項１】
上面が全面的に解放されてパチンコ玉入出用の開口が形成されている箱状ケース本体を備えたパチンコ玉収容ケースであって、複数の箱状ケース本体が並列配置されるのに加え、並列配置された複数の箱状ケース本体のうちの隣り合う２つの箱状ケース本体毎に、両箱状ケース本体に略等分に別の箱状ケース本体を順次乗せ置くことにより、複数のパチンコ玉収容ケースを山形状に積み上げて据え置くことが可能なパチンコ玉収容ケースにおいて、
前記箱状ケース本体には、パチンコ玉入出用の開口の端縁から水平に外側へ向けて突出している張り出し縁部が形成されていて、
並列配置された複数の前記箱状ケース本体のうちの隣り合う２つの箱状ケース本体に、略等分に別の箱状ケース本体が乗せ置かれるのに伴って、下側の２つの箱状ケース本体の各張り出し縁部と上側の箱状ケース本体の底部が係合して上側の箱状ケース本体が、並列配置の向きと直角な向きに滑動するのを防止する構成としたことを特徴とするパチンコ玉収容ケース。
【請求項２】
隣り合う２つの前記箱状ケース本体に、略等分に別の箱状ケース本体が乗せ置かれるのに伴って、上側の箱状ケース本体が並列配置の向きに滑動するのも防止する構成とした請求項１に記載のパチンコ玉収容ケース。
【請求項３】
下側の２つの箱状ケース本体の各張り出し縁部と上側の箱状ケース本体の底部とが、凹部と凸部が嵌合することにより係合が成立する係合機構を有する請求項１又は２に記載のパチンコ玉収容ケース。
【請求項４】
前記凹部の大きさは、パチンコ玉の直径以下である請求項３に記載のパチンコ玉収容ケース。
【考案の詳細な説明】
【技術分野】
【０００１】
本考案はパチンコ玉収容ケースに関し、詳しくは上面が全面的に解放されてパチンコ玉入出用の開口が形成されている箱状ケース本体を備えたパチンコ玉収容ケースに関する。
【背景技術】
【０００２】
パチンコ店では、図１１に示すように、上面が全面的に解放されてパチンコ玉入出用の開口８３が形成されている箱状ケース本体８２を備えたパチンコ玉収容ケース８１が、遊技客（パチンコ遊技者）のみならず店員（従業員）らによって使われている。パチンコ玉収容ケース８１は、箱状ケース本体８２の他に、例えば、消音用弾力性シート（図示省略）を箱状ケース本体８２の底に敷設したりすることもある。
【０００３】
パチンコ玉収容ケース８１の場合、遊技客はいわゆる大当たり等でパチンコ台（パチンコ機）から多量に出玉されるパチンコ玉を、開口８３から箱状ケース本体８２に入れて溜め、遊び終わるまで傍らに据え置き、遊び終わるとパチンコ玉が溜まったパチンコ玉収容ケース８１をカウンターへ運び、パチンコ玉を景品と交換する。
【０００４】
店員は、遊技客がパチンコ玉収容ケース８１で運んできたパチンコ玉を、箱状ケース本体８２の開口８３から出して、玉数を（機械で）カウントする作業を行なった後、空になったパチンコ玉収容ケース８１は景品交換用カウンターの傍ら等に据え置かれる。パチンコ玉収容ケース８１の場合、時として、複数の空のパチンコ玉収容ケース８１が山形状に積み上げられた状態で据え置かれる。パチンコ玉が出された空の状態でパチンコ玉収容ケース８１が次々と積まれ、やがて山形状に積み上げられた状態となることがある。
【０００５】
また、パチンコ台の方でも、同じ遊技客が何度も大当たりすると、多数のパチンコ玉が入れられたパチンコ玉収容ケース８１が、傍らに次々と積まれて、遂には山形状に積み上げられた状態となることがある。
【０００６】
具体的には、例えば、図１２に示すように、３個の箱状ケース本体８２が並列配置されるのに加え、並列配置された３個の箱状ケース本体８２のうちの隣り合う２つの箱状ケース本体８２毎に、両箱状ケース本体８２に略等分に載置する状態で別の箱状ケース本体８２を次々に乗せてゆくと、合計６個のパチンコ玉収容ケース８１を山形状に、３段重ねの状態で積み上げて据え置くことができる。
【考案の開示】
【考案が解決しようとする課題】
【０００７】
しかしながら、上記従来技術のパチンコ玉収容ケース８１の場合、往々にして積み上げた箱状ケース本体８２が滑落し易いという問題がある。箱状ケース本体８２が滑り落ちると、箱状ケース本体８２からパチンコ玉が飛び出して床一面に散逸するおそれがあり、更には、パチンコ玉が入った重い箱状ケース本体８２が人の足の上に落下する心配もある。
【０００８】
上の箱状ケース本体８２は、箱状ケース本体８２の並列配置の向きと直角な向きでの積層は、安定的に積み重ねるには寸法的な余裕が少ないため、箱状ケース本体８２が滑り易いプラスチック製であるのに加え、箱状ケース本体８２に多数のパチンコ玉が不均一な状態で入れられていたりすると、パチンコ玉収容ケース８１にわずかな衝撃が加わったとしても、パチンコ玉収容ケース８１が滑落し易い。
【０００９】
そこで、本考案の目的は、上記従来技術の有する問題点に鑑みて、積み上げた箱状ケース本体が容易に滑落するのを防止することができるパチンコ玉収容ケースを提供することにある。
【課題を解決するための手段】
【００１０】
上記課題は、各請求項記載の考案により達成される。すなわち、本考案に係るパチンコ玉収容ケースの特徴構成は、上面が全面的に解放されてパチンコ玉入出用の開口が形成されている箱状ケース本体を備えたパチンコ玉収容ケースであって、複数の箱状ケース本体が並列配置されるのに加え、並列配置された複数の箱状ケース本体のうちの隣り合う２つの箱状ケース本体毎に、両箱状ケース本体に略等分に別の箱状ケース本体を順次乗せ置くことにより、複数のパチンコ玉収容ケースを山形状に積み上げて据え置くことが可能なパチンコ玉収容ケースにおいて、前記箱状ケース本体には、パチンコ玉入出用の開口の端縁から水平に外側へ向けて突出している張り出し縁部が形成されていて、並列配置された複数の前記箱状ケース本体のうちの隣り合う２つの箱状ケース本体に、略等分に別の箱状ケース本体が乗せ置かれるのに伴って、下側の２つの箱状ケース本体の各張り出し縁部と上側の箱状ケース本体の底部が係合して上側の箱状ケース本体が、並列配置の向きと直角な向きに滑動するのを防止する構成としたことにある。
【００１１】
このパチンコ玉収容ケースの場合、パチンコ玉の収容開始時は、パチンコ玉をパチンコ玉入出用の開口から箱状ケース本体の中にパチンコ玉を投入し、逆のパチンコ玉の収容終了時は、箱状ケース本体の中のパチンコ玉をパチンコ玉入出用の開口から取り出す。
【００１２】
また、このパチンコ玉収容ケースの複数個を山形状に積み上げて据え置く時は、複数の箱状ケース本体が並列配置されるのに加え、並列配置された複数の箱状ケース本体のうちの隣り合う２つの箱状ケース本体毎に、両箱状ケース本体に略等分に載置された状態で別の箱状ケース本体を乗せてゆく。そうすると、パチンコ玉収容ケースが次々と積まれてゆき、やがて複数のパチンコ玉収容ケースが山形状に積み上げられて据え置かれた状態となる。
【００１３】
そして、このパチンコ玉収容ケースの場合、箱状ケース本体にはパチンコ玉入出用の開口の端縁から水平に外側へ向けて突出している張り出し縁部が形成されていて、並列配置された複数の箱状ケース本体のうちの隣り合う２つの箱状ケース本体に略等分に載置された状態で別の箱状ケース本体が乗せ置かれるのに伴って、下側の２つの箱状ケース本体の各張り出し縁部と上側の箱状ケース本体の底部が係合して、上側の箱状ケース本体が並列配置の向きと直角な向きに滑動するのを防止できる。
【００１４】
つまり、本考案のパチンコ玉収容ケースにあっては、並列配置された複数の箱状ケース本体のうちの隣り合う２つの箱状ケース本体に略等分に載置された状態で別の箱状ケース本体が単に乗せ置かれただけで、それ以降は上側の箱状ケース本体が並列配置の向きと直角な向きに滑動することがなく安定するので、箱状ケース本体の並列配置の向きと直角な向きは、寸法的な余裕が少ない状態で積まれていても、積み上げた箱状ケース本体が滑落する事態を確実に回避できる。
【００１５】
よって、本考案のパチンコ玉収容ケースによれば、積み上げた箱状ケース本体が滑落するのを防止することができ、安定した積み上げ状態を確保できる。
【００１６】
隣り合う２つの前記箱状ケース本体に、略等分に別の箱状ケース本体が乗せ置かれるのに伴って、上側の箱状ケース本体が並列配置の向きに滑動するのも防止する構成とすることが好ましい。
【００１７】
この構成によれば、並列配置された複数の箱状ケース本体のうちの隣り合う２つの箱状ケース本体に略等分に載置された状態で別の箱状ケース本体が単に乗せ置かれただけで、それ以降は上側の箱状ケース本体が並列配置の向きにも滑動することがないので、積み上げた箱状ケース本体が滑落する事態をより確実に回避することができる。
【００１８】
下側の２つの箱状ケース本体の各張り出し縁部と上側の箱状ケース本体の底部とが、凹部と凸部が嵌合することにより係合が成立する係合機構を有するようになっていてもよい。
【００１９】
この構成によれば、凹部と凸部が嵌合することにより係合が成立する簡潔な構造の係合機構により下側の２つの箱状ケース本体の各張り出し縁部と上側の箱状ケース本体の底部とを係合させることができる。
【００２０】
凹部の大きさは、パチンコ玉の直径以下であることが好ましい。
【００２１】
この構成によれば、この凹部から、箱状ケース本体内に収容されたパチンコ玉が外部に出難いようにできる。
【００２２】
箱状ケース本体が金型を用いたプラスチック成形により形成されているのに加え、係合機構用の凹部と凸部が箱状ケース本体のプラスチック成形時に同時成形されてなる形態となっていてもよい。
【００２３】
この構成によれば、箱状ケース本体と下側の２つの箱状ケース本体の各張り出し縁部と上側の箱状ケース本体の底部とを係合させる係合機構を容易に設けることができる。
【考案を実施するための最良の形態】
【００２４】
本考案の実施形態を、図面を参照して詳細に説明する。図１は本実施形態に係るパチンコ玉収容ケースの平面図、図２は図１のパチンコ玉収容ケースの正面図、図３は図１のパチンコ玉収容ケースの底面図、図４は図１のパチンコ玉収容ケースの斜視図である。
【００２５】
このパチンコ玉収容ケース１は、図１、図４に示すように、上面が全面的に解放されることによって、パチンコ玉Ｐを入出するパチンコ玉入出用の開口３が形成されている箱状ケース本体２を備える。パチンコ玉収容ケース１は、箱状ケース本体２に加えて、例えば、透明軟質プラスチックシート等の消音用弾力性シート（図示省略）を箱状ケース本体２の底に敷設していたり、さらには、宣伝用ビラ（図示省略）を箱状ケース本体２の底と消音用弾力性シートの間などに挟設していたりすることもある。
【００２６】
箱状ケース本体２は、例えば、縦２０ｃｍ程度，横４０ｃｍ程度，深さ（高さ）７ｃｍ程度の略直方体であって、無色または有色の、透明または不透明なポリプロピレン樹脂などのプラスチック製であり、開口３の形状も略長方形である。遊技客や店員らが、このパチンコ玉収容ケース１を使う場合、箱状ケース本体２の開口３からパチンコ玉Ｐを入れたり、逆に箱状ケース本体２の中のパチンコ玉Ｐを開口３から出したりする。
【００２７】
箱状ケース本体２には、箱状ケース本体には全周にわたってパチンコ玉入出用の開口３の端縁から水平に外側へ向けて突出している張り出し縁部４，５が形成されている。短辺側の張り出し縁部５は、長辺側の張り出し縁部４より幅広に形成されていて、左右の短辺側の張り出し縁部５には、把手部６がそれぞれ設けられている。遊技客は、パチンコ玉の入った箱状ケース本体２を左右の把手部６に手を掛けて、持ち上げ易いようになっている。
【００２８】
パチンコ玉収容ケース２の張り出し縁部４，５の上には、堰用凸条７，８がパチンコ玉入出用の開口３を略取り囲むようにして設けられていて、これら堰用凸条７，８により、パチンコ台から出玉して箱状ケース本体２に落下したパチンコ玉が、箱状ケース本体２の中で跳ねたりして、箱状ケース本体２から落下するのを抑制できる構成とされている。
【００２９】
箱状ケース本体２の底部９には、電気アース用の貫通孔１０が２箇所に開けられている。箱状ケース本体２の中のパチンコ玉Ｐが貫通孔１０に嵌まり込むと、パチンコ玉Ｐが床あるいは下の箱状ケース本体２のパチンコ玉Ｐと接触して、電気アースがとれる構成とされている。
【００３０】
一方、本実施形態のパチンコ玉収容ケース１の場合、箱状ケース本体２の左側と右側とで形状に差異があり（左右非対称）、図５に示すように、箱状ケース本体２の底が他の箱状ケース本体２の開口３から深く嵌まり込み、箱状ケース本体２が直上に積み重ねられる嵌め込み式積層状態と、図６に示すように、箱状ケース本体２の底が他の箱状ケース本体２の上に載置されて、箱状ケース本体２が直上に積み重ねられる乗せ置き式積層状態とが、箱状ケース本体２の左右の向きを反転させることにより、選択できる構成となっている。
【００３１】
加えて、箱状ケース本体２の１隅だけに印されている＄状マーク１１を、位置合わせして積めば、容易に嵌め込み式積層状態となり、＄状マーク１１を位置合わせすることなく積めば、自然に乗せ置き式積層状態となる。すなわち、＄状マーク１１は、嵌め込み式積層状態と乗せ置き式積層状態を選択するときの目印に利用できる。
【００３２】
したがって、このパチンコ玉収容ケース１によれば、店員が嵌め込み式積層状態を選択することにより、箱状ケース本体２を直上に嵩が低くなるようにして積み重ねて、保管スペースを節約したり、遊技客が乗せ置き式積層状態を選択することにより、箱状ケース本体２を傍らに直上に嵩が高くなるようにして積み重ねて、順調に出玉している気分を十分に味わったりできる。
【００３３】
他方、本実施形態のパチンコ玉収容ケース１は、複数のパチンコ玉収容ケース１を山形状に積み上げて据え置くことも可能となっている。例えば、図７に示すように、６個のパチンコ玉収容ケース１を、互いに隣接するパチンコ玉収容ケース１どうしの長辺側を接するようにして、山形状に積み上げて据え置く時は、先ず３個の箱状ケース本体２が並列配置されるのに加え、並列配置された３個の箱状ケース本体２のうちの隣り合う２つの箱状ケース本体２毎に、両箱状ケース本体２に略等分に載置された状態で別の箱状ケース本体２を乗せてゆく。そうすると、パチンコ玉収容ケース１が次々と積まれてゆき、やがて、６個のパチンコ玉収容ケース１が３段重ねで山形状に積み上げられて据え置かれた状態となる。
【００３４】
その場合、このパチンコ玉収容ケース１は、並列配置された複数の箱状ケース本体２のうちの隣り合う２つの箱状ケース本体２に略等分に載置された状態で別の箱状ケース本体２が乗せ置かれるのに伴って、下側の２つの箱状ケース本体２の各張り出し縁部４と上側の箱状ケース本体２の底部９とが係合して、上側の箱状ケース本体２が並列配置の向き（図１に矢印ＲＡで示す向き）と直角な向き（図１に矢印ＲＢで示す向き）に滑動するのを防止する構成としたことを特徴としている。この点につき、以下に具体的に説明する。
【００３５】
箱状ケース本体２の各張り出し縁部４の表面に、図１に示すように、係合用凹部１２が４個設けられているのに加え、箱状ケース本体２の底部９に、係合用凸部１３が設けられている。係合用凹部１２は、堰用凸条７と堰用凸条８の境界に形成されており、係合用凹部１２の大きさはパチンコ玉の直径以下に形成されて、この係合用凹部１２から、箱状ケース本体２に収容されたパチンコ玉が外部に出難いようになっている。係合用凸部１３は、箱状ケース本体２の底部９の裏面側周縁を下向きに突出させることによって設けられていて、下側の２つの箱状ケース本体２の片側２個の係合用凹部１２と、上側の箱状ケース本体２の係合用凸部１３がちょうど嵌合する配置となっている。
【００３６】
より具体的には、図８に示すように、並列配置された複数の箱状ケース本体２のうちの隣り合う２つの箱状ケース本体２に略等分に載置された状態で、別の箱状ケース本体２が乗せ置かれると、ちょうど係合用凹部１２と係合用凸部１３が嵌合して、下側の２つの箱状ケース本体２の各張り出し縁部４と上側の箱状ケース本体２の底部９とが係合し、箱状ケース本体２が並列配置の向きと直角な向きに滑動するのが防止されるのである。係合用凹部１２と係合用凸部１３が嵌まり込むことにより、係合用凹部１２の両側の堰用凸条７，８が係合用凸部１３に対して当たり止めとなって、ストッパ機能が発揮される。
【００３７】
つまり、下側の２つの箱状ケース本体２の各張り出し縁部４と上側の箱状ケース本体２の底部９とが、係合用凹部１２と係合用凸部１３が嵌合することによって係合が成立する係合機構１４により係合する構成とされている。
【００３８】
その結果、このパチンコ玉収容ケース１にあっては、並列配置された複数の箱状ケース本体２のうちの隣り合う２つの箱状ケース本体２に略等分に載置された状態で別の箱状ケース本体２が単に乗せ置かれただけで、それ以降は上側の箱状ケース本体２が並列配置の向きと直角な向きに滑動することがないので、箱状ケース本体２の並列配置の向きと直角な向きは寸法的な余裕が少ない状態で積まれていても、積み上げた箱状ケース本体２が滑落する事態を確実に回避できる。
【００３９】
よって、本考案のパチンコ玉収容ケース１によれば、積み上げた箱状ケース本体２が滑落するのを確実に防止することができる。
【００４０】
また、箱状ケース本体２は金型（図示省略）を用いたプラスチック成形により形成されており、係合用凹部１２と係合用凸部１３が箱状ケース本体２のプラスチック成形時に、箱状ケース本体２に同時成形されている。その結果、下側の２つの箱状ケース本体２の各張り出し縁部４と上側の箱状ケース本体２の底部９とを係合させる係合機構１４が容易に設けられる。
【００４１】
〔別実施の形態〕
（１）上述した実施形態のパチンコ玉収容ケース１において、隣り合う２つの箱状ケース本体２に略等分に載置された状態で別の箱状ケース本体２が乗せ置かれるのに伴って、同時に、上側の箱状ケース本体２が並列配置の向き（図１に矢印ＲＡで示す向き）に滑動するのも防止する構成とした形態としてもよい。
【００４２】
具体的には、図９に示すように、箱状ケース本体２の底部９の裏面側に係合用凸部１３が内側に短く３列平行に突出させることで係合用凹部１５を２つ形成すると共に、図１０に一点鎖線で示すように、係合用凸部１３に続く堰用凸条７の一部を係合用凸部１６に用いる構成とする。
【００４３】
並列配置された複数の箱状ケース本体２のうちの隣り合う２つの箱状ケース本体２に略等分に載置された状態で別の箱状ケース本体２が乗せ置かれると、ちょうど係合用凹部１５と係合用凸部１６が嵌合して下側の２つの箱状ケース本体２の各張り出し縁部４と上側の箱状ケース本体２の底部９が係合して箱状ケース本体２が並列配置の向きに滑動するのが防止される。
【００４４】
やはり係合用凹部１５と係合用凸部１６が、係合用凹部１５と係合用凸部１６の嵌合により係合を成立させる係合機構１７により係合されることになる。係合用凹部１５と係合用凸部１６も箱状ケース本体２のプラスチック成形時に箱状ケース本体２に同時成形されているものである。
【００４５】
この別実施の形態によれば、並列配置された複数の箱状ケース本体２のうちの隣り合う２つの箱状ケース本体２に略等分に載置された状態で別の箱状ケース本体２が単に乗せ置かれただけで、それ以降は上側の箱状ケース本体２が並列配置の向きにも滑動することがないので、積み上げた箱状ケース本体２が滑落する事態をより確実に回避することができる。
（２）上記実施形態では、箱状ケース本体２の左側と右側とで形状に差異が付けられた非対称の場合を例に挙げて説明したが、もとより本考案のパチンコ玉収容ケース１は、その箱状ケース本体２の左側と右側とで形状に差異が付けられてなく、左右対称形のものであってもよい。その場合、箱状ケース本体２の底は、他の箱状ケース本体２の開口３から深く嵌まり込んだ形で箱状ケース本体２が積み重ねられる嵌め込み式積層状態だけがとれる構成となる。
（３）複数のパチンコ玉収容ケース１を山形状に積み上げて据え置く際、箱状ケース本体２を長辺同士が隣り合うように並列配置する構成であったが、本考案は、複数のパチンコ玉収容ケース１を山形状に積み上げて据え置く際、箱状ケース本体２を短辺同士が隣り合うように並列配置する構成にも適用することができる。
【図面の簡単な説明】
【００４６】
【図１】本考案の一実施形態に係るパチンコ玉収容ケースの平面図
【図２】図１のパチンコ玉収容ケースの正面図
【図３】図１のパチンコ玉収容ケースの底面図
【図４】図１のパチンコ玉収容ケースの斜視図
【図５】図１のパチンコ玉収容ケースの嵌め込み式積層状態を示す模式図
【図６】図１のパチンコ玉収容ケースの載せ置き式積層状態を示す模式
【図７】図１のパチンコ玉収容ケースを山形状に積み上げた状態を示す模式図
【図８】図１のパチンコ玉収容ケースが積み上げられた時の箱状ケース本体の張り出し縁部と底部との係合状態を説明する平面図
【図９】別実施形態のパチンコ玉収容ケースの底面図
【図１０】図９のパチンコ玉収容ケースが積み上げられた時の箱状ケース本体の張り出し縁部と底部との係合状態を説明する平面図
【図１１】従来のパチンコ玉収容ケースの概略構成を示す斜視図
【図１２】図１１のパチンコ玉収容ケースを山形状に積み上げた状態を示す模式図
【符号の説明】
【００４７】
１          パチンコ玉収容ケース
２          箱状ケース本体
３          開口
４          （箱状ケース本体の）張り出し縁部
９          （箱状ケース本体の）底部
１２，１５  係合用凹部
１３，１６  係合用凸部
１４，１７  係合機構
Ｐ          パチンコ玉
【図１】
0003115668.tif 000003
【図２】
0003115668.tif 000004
【図３】
0003115668.tif 000005
【図４】
0003115668.tif 000006
【図５】
0003115668.tif 000007
【図６】
0003115668.tif 000008
【図７】
0003115668.tif 000009
【図８】
0003115668.tif 000010
【図９】
0003115668.tif 000011
【図１０】
0003115668.tif 000012
【図１１】
0003115668.tif 000013
【図１２】
0003115668.tif 000014